(57)【要約】【課題】  地震発生時が夜間の就寝時間帯である場合にも、いち早く何が起きたのかを報知し、夜目になれていない暗い状況下ですばやく行動を起こせる明かりを確保し、その後にはラジオを通じて情報の収集が可能である手動式充電ラジオを提供すること。【解決手段】  ラジオ５と、ライト６と、サイレン７と、感震センサー８と、ハンドル９の手巻き操作により内部の蓄電池４を充電可能な発電器３と、商用交流電源の直流変換器と接続コードを経て接続可能な直流変換器接続端子２９を有し、前記したラジオ５、ライト６、サイレン７、感震センサー８を、前記蓄電池４または商用交流電源の電力により使用可能とすると共に、この感震センサー８からの感震信号の出力によりライト６、サイレン７を起動する制御回路３６を備えている。【選択図】  図６
0003118592.tif 000002
【実用新案登録請求の範囲】
【請求項１】
ラジオと、ライトと、サイレンと、感震センサーと、ハンドルの手巻き操作により内部の蓄電池を充電可能な発電器と、商用交流電源の直流変換器と接続コードを経て接続可能な直流変換器接続端子を有し、前記したラジオ、ライト、サイレン、感震センサーを、前記蓄電池または商用交流電源の電力により使用可能とすると共に、この感震センサーからの感震信号の出力によりライト、サイレンを起動する制御回路を備えていることを特徴とする手動式充電ラジオ。
【請求項２】
ラジオが防災無線放送受信器を有していることを特徴とする請求項１記載の手動式充電ラジオ。
【請求項３】
携帯電話内の充電池と接続コードを経て接続可能な充電池接続端子を有し、携帯電話内の充電池への充電を可能にしていることを特徴とする請求項１または２記載の手動式充電ラジオ。
【請求項４】
蓄電池が、蓄電池収納部の蓋部を開閉することで交換可能にしてあることを特徴とする請求項１〜３のいずれか１項記載の手動式充電ラジオ。
【考案の詳細な説明】
【技術分野】
【０００１】
本考案は、災害等の緊急時に有用な手動式充電ラジオに関する。
【背景技術】
【０００２】
たとえば特許文献１に記載されている手巻き式携帯電話充電機能付きのラジオライトがある。これの構成は、ＬＥＤライトと非常用サイレンが付いた小型ラジオであって、接続コードを介して携帯電話と接続するための出力コネクタと、ハンドルの手巻き操作による運動エネルギーを電気へ変換して、内部の蓄電池を充電し、その蓄電池により前記ＬＥＤライトや非常用サイレン又はラジオを使用可能とする一方、接続された携帯電話内の充電池への充電も可能とされた発電器を備えることを特徴としている。
そして、ハンドルの手巻き操作で発電して、携帯電話を充電することができる。したがって、電気コンセントがなくとも、いつでもどこでも気楽に、携帯電話を充電することができ、不意の電池切れの場合でも安心である。しかも、携帯電話の充電機能だけでなく、ＬＥＤライト、非常用サイレン、ラジオも付いているので、災害時や遭難時に多大に威力を発揮するとされている。
ところで、災害がたとえば地震である場合、そして、地震発生時が夜間の就寝時間帯である場合には、いち早く何が起きたのかを認識させることが重要であり、夜目になれていない暗い状況下ですばやく行動を起こせるだけの明かりが必要になる。また、防災無線放送が聞ければ的確な行動を取り易い。
この点について、万が一の備えになるものは出現していない。
【特許文献１】実用新案登録第３０９３５４５号
【考案の開示】
【考案が解決しようとする課題】
【０００３】
解決しようとする課題は、第１には、地震発生時が夜間の就寝時間帯である場合にも、いち早く何が起きたのかを報知し、夜目になれていない暗い状況下ですばやく行動を起こせる明かりを確保し、その後にはラジオを通じて情報の収集が可能であり、商用交流電源も利用可能である手動式充電ラジオを、第２には、さらに、防災無線放送を聞けることで的確に行動することが可能である手動式充電ラジオを、第３には、さらに、携帯電話における充電池に充電可能である手動式充電ラジオを、第４には、さらに、経時的劣化する蓄電池を容易に交換可能である手動式充電ラジオを提供することにある。
【課題を解決するための手段】
【０００４】
本考案では前記した課題を達成するため、以下の構成にしたことを特徴とする。
１．ラジオと、ライトと、サイレンと、感震センサーと、ハンドルの手巻き操作により内部の蓄電池を充電可能な発電器と、商用交流電源の直流変換器と接続コードを経て接続可能な直流変換器接続端子を有し、前記したラジオ、ライト、サイレン、感震センサーを、前記蓄電池または商用交流電源の電力により使用可能とすると共に、この感震センサーからの感震信号の出力によりライト、サイレンを起動する制御回路を備えていることを特徴とする。
２．前記した１において、ラジオが防災無線放送受信器を有していることを特徴とする。
３．前記した１または２において、携帯電話内の充電池と接続コードを経て接続可能な充電池接続端子を有し、携帯電話内の充電池への充電を可能にしていることを特徴とする。
４．前記した１〜３のいずれか１項において、蓄電池が、蓄電池収納部の蓋部を開閉することで交換可能にしてあることを特徴とする。
【０００５】
本考案における感震センサーは適宜の設定震度以上で動作するものであればよく、この感震センサーによる感震時に起動するライト、サイレンの運転時間は制御回路でコントロールし、一定時間であってもよいし、そうでなくてもよい。この感震センサーは、蓄電池の電力により使用可能にしてあるものでもよいし、商用交流電源の電力により使用可能にしているものでもよい。蓄電池への充電は、ハンドルの手回し操作により発電器を回して行なう手動充電タイプのものであってもよいし、かかる手回し操作に加えて商用交流電源を使用して充電可能にしてある手動および自動充電タイプのものであってもよい。ラジオは防災無線放送受信器を有していても、ないものであってもよい。ハンドルは変速要素を介して発電器を回すようにしてもよいし、そうでなくともよい。ライトはＬＥＤであってもよいし、そうでなくともよい。商用交流電源による携帯電話内の充電池への充電と蓄電池への充電は同時に自動充電するものであってもよいし、個別に充電するものでもよい。蓄電池収納部はケースを分解することで同部内の蓄電池を交換可能にしてもよいし、同部に蓋部を開閉可能に設けることで、ケースを分解せずとも蓄電池を交換可能にしてもよい。蓄電池はニッケル水素電池、ニッケル・カドミウム電池、リチウム電池等が挙げられる。ケースは掌サイズでなくともよいが、そうであるのが携帯する上で望ましい。
【考案の効果】
【０００６】
Ａ．請求項１により、適時あるいは就寝前にハンドルの手回し操作により発電器を回して蓄電池に充電して枕もとに置くことで、地震発生時が夜間の就寝時間帯である場合にも、いち早く何が起きたのかをサイレンで報知し、且つ、夜目になれていない暗い状況下ですばやく行動を起こせるようにライトで明かりを確保することができ、その後にはラジオを通じて情報の収集ができるので、地震等の緊急災害時に備えて非常に有用である。また、商用交流電源を利用することもできるので、使い勝手がよい。
Ｂ．請求項２により、さらに、防災無線放送を聞けることで的確に行動することができ、無用な混乱を招くことがない。
Ｃ．請求項３により、さらに、携帯電話内の充電池への充電と蓄電池への充電をすることができる。
Ｄ．請求項４により、さらに、蓄電池収納部の蓋部を開け、同収納部内の経時的劣化する蓄電池を新品と容易に交換することができる。
【考案を実施するための最良の形態】
【０００７】
図１〜１０には本考案の手動式充電ラジオにおける実施の１形態を例示しており、ケース１は正面視略楕円形状の掌サイズの大きさに形成してあると共に底面の一部を平坦にして置き易くし、この底面部１ａにはゴム或いは軟質樹脂製の座２を配設することで滑り止めしてある。
ケース１には、発電器３、蓄電池４、ラジオ５、ライト６、サイレン７、感震センサー８を備えてあり、ケース１背面のハンドル９で発電器３を回して蓄電池４に充電し、この蓄電池４に蓄積された電気で、感震センサー８を除いて、ラジオ５、ライト６、サイレン７等が作動するようにしてある。
【０００８】
ハンドル９は、ケース１の背面部１ｂにおける回転軸１０端に反転自在に軸着してあり、ハンドル９を反転させることで、摘み部９ａが背面部１ｂの凹部１１内に納まった収納状態と、摘み部９ａが外向きになった手回し可能状態に操作可能にしてある。
このハンドル９と回転軸１０を経て一体回動状の交流型発電器３は、ハンドル９の手巻き操作による運動エネルギーを電気へ変換して、ケース１内部の蓄電池４を充電するようにしてある。
かかる充電は、直流に変換されて行なわれ、この充電中の間、ケース１の正面部１ｃのパネル面部１３における黄色ＬＥＤ製の充電表示灯１４が点灯するようにしてある。
蓄電池４は、たとえばニッケル水素電池４．８Ｖであり、背面部１ｂの蓋部１５を開くことで蓄電池収納部１６から出し入れ且つコネクタ１７に脱着することにより、経時的劣化する蓄電池４を適時新品と入れ替え可能にしてある。蓋部１５はビスで開閉可能にしてある。
【０００９】
ケース１内部のラジオ５は、ＡＭ放送とＦＭ放送とテレビ音声と防災無線放送（５４〜７６ＭＨｚ）を受信可能なチューナーを有しており、右横の受信スイッチ１８を「ＡＭ」、「ＦＭ」、「ＴＶ」、「防災」の各放送に切り替え、正面部１ｃにおける右側のダイヤル１９を回し操作することでパネル面部１３のインジケーターの動きにより選局し、緑色ＬＥＤからなる同調表示灯２０が点灯するようにしてある。パネル面部１３は背面側上の押しボタンスイッチ２１を押すことにより青色ＬＥＤからなる照明灯２２で照明可能にしてある。また、このラジオ５のＯＮ、ＯＦＦと音量調整は正面部１ｃ左下側のボリュームダイヤル２３を回し操作して行なうようにしてある。
正面部１ｃ左寄りのスピーカー２４はラジオ５やサイレン７の音を出し、受信用のアンテナ２５は背面部１ｂ上側寄りの凹部状の把持部２６に引き出しおよび伸縮自在に配設してある。
【００１０】
左横のライト６は、２個の白色ＬＥＤ製のライト６ａ，６ｂからなり、左上の切換スイッチ２７で、「ＯＦＦ」と、白色ＬＥＤ１個が点灯した「弱」照明と、白色ＬＥＤ２個が点灯した「強」照明に切換・点灯可能にしてある。また、ライト６は、感震センサー８から感震信号が出力されるのにともない起動して一定時間たとえば１分間の間、点灯するようにしてある。
サイレン７は、背面部１ｂ左下の切換スイッチ２８で「ＯＮ」、「ＯＦＦ」するようにしてある。また、サイレン７は、感震センサー８から感震信号が出力されると起動して一定時間たとえば１分間の間、電子式脈動音を発生するようにしてある。
感震センサー８は、設定動作感度を震度４（２５ｇａｌ〜８０ｇａｌ）以上に設定してあり、商用交流電源との接続時に切換スイッチ２８が「感震」位置に切り換えられたＯＮ状態で、震度４以上の地震を感知するのにともないに感震信号を制御回路３６に出力し、制御回路３６からの作動信号を受けてライト６およびサイレン７が起動するようにしてある。
【００１１】
ケース１左下には商用交流電源の直流変換器接続端子２９を有し、商用交流電源から蓄電池４を充電可能にしてあると共に、電圧を定電圧化する定電圧回路、携帯電話の充電池の満充電を検知して充電を停止する過充電防止回路からなる外部電源充電回路３０を経て携帯電話の充電池を充電可能にしてある。
ケース１右下にはイヤホン接続端子３１および携帯電話接続端子３２を有し、イヤホン接続端子３１にはイヤホンのコネクタを挿入して使用可能にしてあり、携帯電話接続端子３２には携帯電話のコネクタを挿入することで携帯電話の充電池を充電可能にしてある。
発電器３と携帯電話接続端子３２間には、充電電圧を定電圧化する定電圧回路、携帯電話の充電池の満充電を検知して充電を停止する過充電防止回路、電流を直流に変換する両波整流回路等からなる手動充電回路１２を備えてあり、発電器３で発電された電流が直流に変換されて携帯電話の充電池に充電可能にしてある。
【００１２】
蓄電池４と携帯電話接続端子３２間には、蓄電池４の電圧が携帯電話における充電池の電圧よりも低下しているとこれを検知して携帯電話の充電池から蓄電池４への逆充電を停止する逆流防止回路３３と、制御回路３６からの出力により充電時間を一定時間経過後たとえば１５０分後に強制的に停止する過充電保護回路３４と、蓄電池電圧が４．０Ｖより低下しているとこれを検知して携帯電話の充電池への充電を停止するチャタリング防止回路３５を備えてあり、携帯電話の充電池（３，８Ｖ）を充電することで一時的に低下する蓄電池４の電圧が、この充電を停止することで回復（４，２Ｖ程度）し、繰り返し充電池を充電する現象（チャタリング）を阻止し、蓄電池４が損傷しないように二重に保護してある。
【００１３】
発電器３および直流変換器接続端子２９と蓄電池４間には、制御回路３６および満充電検出回路３７を備えてあり、マイクロコンピュータで構成した制御回路３６は、感震センサー８からの感震信号を受けるとライト６およびサイレン７がそれぞれ一定時間たとえば１分間動作可能な作動信号を出力するプログラムを有し、設定震度以上の地震があった際にライト６およびサイレン７を起動させてそれぞれ１分間動作するようにしてある。
満充電検出回路３７は、蓄電池４の満充電を検知すると満充電状態信号を制御回路３６に出力し、制御回路３６からの停止信号を受けて、充電表示灯１４の表示が停止するようにしてあると共に蓄電池４の充電回路が閉じられて充電停止するようにしてある。
【００１４】
ケース１の正面部１ｃのパネル面部１３における赤色ＬＥＤからなる蓄電残量表示灯３８は、蓄電池残量測定回路３９により測定される蓄電池４の電力残量が４Ｖまで低下した時点で点灯し、４Ｖ以上では消灯する。
ケース１右横下の開け閉め可能なカバー４０はイヤホン接続端子３１および携帯電話接続端子３２を覆い保護しており、ケース１左横下の開け閉め可能なカバー４１は直流変換器接続端子２９を覆い保護している。
【００１５】
次に使用状態について説明すれば、図７に示す発電器３を電源とした蓄電池４の充電時には、発電器３を手回しすることで、発電された電力が蓄電池４に蓄電される。この充電状態は充電表示灯１４が点灯することで確認される。そして、蓄電池４が満充電状態になると、充電表示灯１４が消灯することで確認される。
【００１６】
図８に示す蓄電池４を電源とした携帯電話の充電池への充電時には、蓄電池４から電力が、過充電保護回路３４およびチャタリング防止回路３５にコントロールされて、充電池接続端子３２に接続コードを経て接続された携帯電話の充電池に蓄電される。この際、逆充電およびチャタリングが阻止され、定時間充電されていることで、蓄電池４が損傷しないように二重、三重に保護されることになる。
【００１７】
図９に示す発電器３を電源とした携帯電話の充電池への充電時には、発電器３を手回しすることで、発電された電力が手動充電回路１２にコントロールされて、充電池接続端子３２に接続コードを経て接続された携帯電話の充電池に蓄電される。
【００１８】
図１０に示す商用交流電源を電源とした蓄電池４および携帯電話の充電池への同時充電時には、商用交流電源と接続コードを経て直流変換器接続端子２９を接続し、外部から電力が、制御回路３６および満充電検出回路３７にコントロールされて蓄電池４に蓄電される。この充電状態は充電表示灯１４が点灯することで確認される。そして、蓄電池４が満充電状態になると、充電表示灯１４が消灯することで確認される。また、同電力が、外部電源充電回路３０にコントロールされて、充電池接続端子３２に接続コードを経て接続された携帯電話の充電池に蓄電される。
【００１９】
因みに、ハンドル９を１分間に１２０回、手回しして蓄電池４を充電した場合では、ラジオ５は約５０分間、ライトは約３０分間、サイレンは約５分間の使用が可能であり、同様に、ハンドル９を１分間に１２０回、手回しして携帯電話の充電池を充電した場合では、携帯電話は約３分間の通話が可能である。
【図面の簡単な説明】
【００２０】
【図１】本考案の手動式充電ラジオにおける実施の１形態を例示している正面図。
【図２】背面図。
【図３】左側面図。
【図４】右側面図
【図５】ハンドルを出し、アンテナを伸ばした状態の背面側斜視図。
【図６】回路構成を示すブロック図。
【図７】発電器を電源とした蓄電池の充電を示すフロー。
【図８】蓄電池を電源とした携帯電話の充電を示すフロー。
【図９】発電機を電源とした携帯電話の充電を示すフロー。
【図１０】商用交流電源を電源とした蓄電池および携帯電話の充電を示すフロー。
【符号の説明】
【００２１】
１  ケース
１ａ  底面部
１ｂ  背面部
１ｃ  正面部
２  座
３  発電器
４  蓄電池
５  ラジオ
６  ライト
７  サイレン
８  感震センサー
９  ハンドル
９ａ  摘み部
１０  回転軸
１１  凹部
１２  手動充電回路
１３  パネル面部
１４  充電表示灯
１５  蓋部
１６  蓄電池収納部
１７  コネクタ
１８  受信スイッチ
１９  ダイヤル
２０  同調表示灯
２１  押しボタンスイッチ
２２  照明灯
２３  ボリュームダイヤル
２４  スピーカー
２５  アンテナ
２６  把持部
２７  切換スイッチ
２８  切換スイッチ
２９  直流変換器接続端子
３０  外部電源充電回路
３１  イヤホン接続端子
３２  携帯電話接続端子
３３  逆流防止回路
３４  過充電保護回路
３５  チャタリング防止回路
３６  制御回路
３７  満充電検出回路
３８  蓄電残量表示灯
３９  蓄電池残量測定回路
４０，４１  カバー
【図１】
0003118592.tif 000003
【図２】
0003118592.tif 000004
【図３】
0003118592.tif 000005
【図４】
0003118592.tif 000006
【図５】
0003118592.tif 000007
【図６】
0003118592.tif 000008
【図７】
0003118592.tif 000009
【図８】
0003118592.tif 000010
【図９】
0003118592.tif 000011
【図１０】
0003118592.tif 000012